(57)【要約】【課題】無線通信装置を備えた自動運転車両を用いて無線通信の利便性を向上させる。【解決手段】配車システム９００は、各々が自動運転可能に構成されるとともに無線ＬＡＮモジュール４２を含む複数の車両１と、複数の車両１と通信するサーバ９０とを備える。線ＬＡＮモジュール４２は、ユーザの携帯端末８と無線ＬＡＮ通信網のアクセスポイント（無線ＬＡＮスポット）６とに接続して、携帯端末８と無線ＬＡＮ通信網との無線通信を中継することが可能に構成される。サーバ９０は、携帯端末８からの配車要求に従って、複数の車両１のうちのいずれかの車両を自動運転により配車するための指示を当該車両に出力する。指示を受けた車両は、携帯端末８と無線ＬＡＮ通信網との無線通信を無線ＬＡＮモジュール４２により中継する。【選択図】図５
2019086900.tif 000002
【特許請求の範囲】
【請求項１】
各々が自動運転可能に構成されるとともに無線通信機器を含む複数の車両と、
前記複数の車両と通信するサーバとを備え、
前記無線通信機器は、ユーザ端末と無線ＬＡＮ（ローカルエリアネットワーク）通信網のアクセスポイントとに接続して、前記ユーザ端末と前記無線ＬＡＮ通信網との無線通信を中継することが可能に構成され、
前記サーバは、前記ユーザ端末からの配車要求および前記無線ＬＡＮ通信網の電波強度が低いことを示す情報のうちの少なくとも一方に従って、前記複数の車両のうちのいずれかの車両を自動運転により配車するための指示を当該車両に出力し、
前記指示を受けた車両は、前記ユーザ端末と前記無線ＬＡＮ通信網との無線通信を前記無線通信機器により中継する、配車システム。
【請求項２】
前記ユーザ端末は、ユーザの操作に応答して前記配車要求を送信し、
前記サーバは、前記ユーザ端末からの前記配車要求に従って、前記複数の車両のうちのいずれかの車両を前記ユーザの要求する地点に配車する、請求項１に記載の配車システム。
【請求項３】
前記ユーザ端末は、前記無線ＬＡＮ通信網の電波強度の低下を検出した場合に前記配車要求を送信し、
前記サーバは、前記ユーザ端末からの前記配車要求に従って、前記複数の車両のうちのいずれかの車両を前記ユーザ端末と前記無線ＬＡＮ通信網との無線通信の中継が可能な地点に配車する、請求項１に記載の配車システム。
【請求項４】
前記サーバは、
インターネット上のウェブサイトからイベントの開催場所に関する情報を抽出し、
前記開催場所と、前記開催場所の周囲の交通機関との間において前記電波強度が低い地点を取得し、
前記イベントの開催時に前記複数の車両のうちのいずれかの車両を前記電波強度が低い地点に配車する、請求項１に記載の配車システム。
【請求項５】
前記開催場所と前記交通機関との間のルートにおける前記電波強度の調査結果が格納されたデータベースをさらに備え、
前記サーバは、前記データベースに格納された調査結果を用いて、前記電波強度が低い地点が前記ルート上に存在するかどうかを判定する、請求項４に記載の配車システム。
【請求項６】
所定領域内における前記無線ＬＡＮ通信網の電波強度の調査結果が格納されたデータベースをさらに備え、
前記サーバは、前記データベースに格納された調査結果と、前記所定領域内における前記ユーザ端末の数を示す情報とを用いて、前記所定領域内の前記無線ＬＡＮ通信網の電波強度が低下しているかどうかを判定し、前記電波強度が低下していると判定した場合に、前記複数の車両のうちのいずれかの車両を前記所定領域に配車する、請求項１に記載の配車システム。
【請求項７】
自動運転可能に構成された複数の車両と通信する通信装置と、
前記複数の車両の配車処理を実行する処理装置とを備え、
前記複数の車両の各々は、ユーザ端末と無線ＬＡＮ通信網のアクセスポイントとに接続して、前記ユーザ端末と前記無線ＬＡＮ通信網との無線通信を中継することが可能に構成された無線通信機器を含み、
前記処理装置は、前記ユーザ端末からの配車要求および前記無線ＬＡＮ通信網の電波強度が低いことを示す情報のうちの少なくとも一方に従って、前記複数の車両のうちのいずれかの車両を自動運転により配車するための指示を当該車両に出力する、配車装置。
【請求項８】
自動運転可能に構成された複数の車両の配車方法であって、
前記複数の車両の各々は、ユーザ端末と無線ＬＡＮ通信網のアクセスポイントとに接続して、前記ユーザ端末と前記無線ＬＡＮ通信網との無線通信を中継することが可能に構成された無線通信機器を含み、
前記配車方法は、
前記ユーザ端末からの配車要求および前記無線ＬＡＮ通信網の電波強度が低いことを示す情報のうちの少なくとも一方を受けるステップと、
前記配車要求および前記情報のうちの少なくとも一方に従って、前記複数の車両のうちのいずれかの車両を自動運転により配車するための指示を当該車両に出力するステップと、
前記指示を受けた車両が、前記ユーザ端末と前記無線ＬＡＮ通信網との無線通信を前記無線通信機器により中継するステップとを含む、配車方法。
【発明の詳細な説明】
【技術分野】
【０００１】
本開示は、配車システムおよびそれに用いられる配車装置ならびに配車方法に関し、より特定的には、自動運転車両を配車するための技術に関する。
【背景技術】
【０００２】
米国特許出願公開第２０１０／００２０７７４号明細書（特許文献１）は、無線通信モジュール（あるいはアクセスポイント）が搭載された車両を開示する。たとえば特許文献１の図１および図２には、車載の無線通信モジュールを介して、ユーザのコンピュータ端末が外部の基地局とデータの授受を行なうことが開示されている。これにより、走行中の車内であってもコンピュータ端末のインターネットアクセスが可能になる。
【先行技術文献】
【特許文献】
【０００３】
【特許文献１】米国特許出願公開第２０１０／００２０７７４号明細書
【特許文献２】特開２０１５−１７２７９１号公報
【特許文献３】特開２０１２−２３０５２３号公報
【特許文献４】特開２０１２−１２８５８７号公報
【特許文献５】特開２０１４−２１１６９３号公報
【特許文献６】米国特許出願公開第２０１６／０３３４７９７号明細書
【特許文献７】米国特許第９２５６８５２号明細書
【発明の概要】
【発明が解決しようとする課題】
【０００４】
特許文献１に開示された車両においては、ユーザのコンピュータ端末も車内にあり、車内のコンピュータ端末と外部の基地局との間でのデータの授受が車載の無線通信モジュールにより中継される。
【０００５】
一方、近年では、自動運転可能な車両（自動運転車両）の開発が進められており、自動運転車両を適切な位置に配車するための様々な技術が提案されている。このような自動運転車両に無線通信モジュールを搭載し、自動運転車両を、いわば移動可能な中継基地局として活用することが考えられる。このように、自動運転車両を用いて無線通信の利便性を向上させることについて、特許文献１では特に考慮されていない。
【０００６】
本開示は上記課題を解決するためになされたものであって、その目的は、無線通信装置を備えた自動運転車両を用いて無線通信の利便性を向上させることである。
【課題を解決するための手段】
【０００７】
（１）本開示のある局面に従う配車システムは、各々が自動運転可能に構成されるとともに無線通信機器を含む複数の車両と、複数の車両と通信するサーバとを備える。無線通信機器は、ユーザ端末と無線ＬＡＮ（ローカルエリアネットワーク）通信網のアクセスポイントとに接続して、ユーザ端末と無線ＬＡＮ通信網との無線通信を中継することが可能に構成される。サーバは、ユーザ端末からの配車要求および無線ＬＡＮ通信網の電波強度が低いことを示す情報のうちの少なくとも一方に従って、複数の車両のうちのいずれかの車両を自動運転により配車するための指示を当該車両に出力する。指示を受けた車両は、ユーザ端末と無線ＬＡＮ通信網との無線通信を無線通信機器により中継する。
【０００８】
上記（１）の構成によれば、サーバは、ユーザ端末からの配車要求および無線ＬＡＮ通信網の電波強度が低いことを示す情報のうちの少なくとも一方を受けた場合に、ユーザが要求した地点あるいは無線ＬＡＮ通信網の電波強度が低い地点に車両を配車する。車両に搭載された無線通信装置により無線通信網が増強されることで、ユーザ端末の高速データ通信が可能になるため、ユーザの無線通信の利便性を向上させることができる。
【０００９】
（２）好ましくは、ユーザ端末は、ユーザの操作に応答して配車要求を送信する。サーバは、ユーザ端末からの配車要求に従って、複数の車両のうちのいずれかの車両をユーザの要求する地点に配車する。
【００１０】
上記（２）の構成によれば、ユーザの操作に応答して車両が配車されるので、電波強度の増強を希望するか否かをユーザが選択することができる。
【００１１】
（３）好ましくは、ユーザ端末は、無線ＬＡＮ通信網の電波強度の低下を検出した場合に配車要求を送信する。サーバは、ユーザ端末からの配車要求に従って、複数の車両のうちのいずれかの車両をユーザ端末と無線ＬＡＮ通信網との無線通信の中継が可能な地点に配車する。
【００１２】
上記（３）の構成によれば、ユーザが操作を行なわなくてもユーザ端末から配車要求が出力されるので、ユーザが選択する手間を省くことができる。
【００１３】
（４）好ましくは、サーバは、インターネット上のウェブサイトからイベントの開催場所に関する情報を抽出し、開催場所と、開催場所の周囲の交通機関との間において電波強度が低い地点を取得し、イベントの開催時に複数の車両のうちのいずれかの車両を電波強度が低い地点に配車する。
【００１４】
（５）より好ましくは、配車システムは、開催場所と交通機関との間のルートにおける電波強度の調査結果が格納されたデータベースをさらに備える。サーバは、データベースに格納された調査結果を用いて、電波強度が低い地点がルート上に存在するかどうかを判定する。
【００１５】
上記（４），（５）の構成によれば、ユーザ端末からの配車要求がなくても大規模なイベントの開催に合わせて車両が配車される。これにより、配車先の地域に無線通信サービスを適時に提供して、高速データ通信が行なえない地域をなくしたり通信の混雑を緩和したりすることができる。
【００１６】
（６）好ましくは、配車システムは、所定領域内における無線ＬＡＮ通信網の電波強度の調査結果が格納されたデータベースをさらに備える。サーバは、データベースに格納された調査結果と、所定領域内におけるユーザ端末の数を示す情報とを用いて、所定領域内の無線ＬＡＮ通信網の電波強度が低下しているかどうかを判定し、電波強度が低下していると判定した場合に、複数の車両のうちのいずれかの車両を所定領域に配車する。
【００１７】
上記（６）の構成によれば、所定領域内におけるユーザ端末の数が多いか否か、言い換えると人口密度が高いか否かが判定される。これにより、人口密度が高くてユーザ端末数が多く、高速データ通信の需要が高い領域に無線通信サービスを提供することが可能になる。
【００１８】
（７）本開示の他の局面に従う配車装置は、自動運転可能に構成された複数の車両と通信する通信装置と、複数の車両の配車処理を実行する処理装置とを備える。複数の車両の各々は、ユーザ端末と無線ＬＡＮ通信網のアクセスポイントとに接続して、ユーザ端末と無線ＬＡＮ通信網との無線通信を中継することが可能に構成された無線通信機器を含む。処理装置は、ユーザ端末からの配車要求および無線ＬＡＮ通信網の電波強度が低いことを示す情報のうちの少なくとも一方に従って、複数の車両のうちのいずれかの車両を自動運転により配車するための指示を当該車両に出力する。
【００１９】
上記（７）の構成によれば、上記（１）の構成と同様に、車両に搭載された無線通信装置により無線通信網が増強されることで、ユーザ端末の高速データ通信が可能になるため、ユーザの無線通信の利便性を向上させることができる。
【００２０】
（８）本開示のさらに他の局面に従う配車方法は、自動運転可能に構成された複数の車両を配車する。複数の車両の各々は、ユーザ端末と無線ＬＡＮ通信網のアクセスポイントとに接続して、ユーザ端末と無線ＬＡＮ通信網との無線通信を中継することが可能に構成された無線通信機器を含む。配車方法は、ユーザ端末からの配車要求および無線ＬＡＮ通信網の電波強度が低いことを示す情報のうちの少なくとも一方を受けるステップと、配車要求および情報のうちの少なくとも一方に従って、複数の車両のうちのいずれかの車両を自動運転により配車するための指示を当該車両に出力するステップと、指示を受けた車両が、ユーザ端末と無線ＬＡＮ通信網との無線通信を無線通信機器により中継するステップとを含む。
【００２１】
上記（８）の方法によれば、上記（１），（７）の構成と同様に、車両に搭載された無線通信装置により無線通信網が増強されることで、ユーザ端末の高速データ通信が可能になるため、ユーザの無線通信の利便性を向上させることができる。
【発明の効果】
【００２２】
本開示によれば、無線通信装置を備えた自動運転車両を用いて無線通信の利便性を向上させることができる。
【図面の簡単な説明】
【００２３】
【図１】実施の形態１に係る配車システムの全体構成を概略的に示す図である。
【図２】車両の構成を概略的に示す図である。
【図３】無線通信網の電波状況の一例を説明するための概念図である。
【図４】無線通信網の増強の様子を説明するための概念図である。
【図５】実施の形態１における無線通信網の増強処理を説明するためのフローチャートである。
【図６】車両情報の一例を示す図である。
【図７】イベント開催時における車両を用いた無線通信網の増強を説明するための図である。
【図８】実施の形態２における通信網の増強制御を説明するためのフローチャートである。
【図９】イベント情報の一例を示す図である。
【図１０】無線情報の一例を示す図である。
【図１１】実施の形態２の変形例における通信網の増強制御を説明するためのフローチャートである。
【発明を実施するための形態】
【００２４】
以下、本開示の実施の形態について、図面を参照しながら詳細に説明する。なお、図中同一または相当部分には同一符号を付してその説明は繰り返さない。
【００２５】
［実施の形態１］
＜配車システムの全体構成＞
図１は、本実施の形態に係る配車システムの全体構成を概略的に示す図である。図１を参照して、配車システム９００は、複数の車両１と、配車センター９とを備える。配車センター９は、ユーザの携帯端末８（たとえばスマートフォン）からの配車要求に応じて、複数の車両のなかから、いずれか適切な車両を選択してユーザの現在地（あるいはユーザが指定した地点）に配車する。図示しないが、配車要求は、ユーザのコンピュータ端末（固定端末）から送信されてもよい。この場合には、配車センター９により選択された車両は、ユーザのユーザが指定した地点に配車される。
【００２６】
車両１は、無人での自動運転（以下、「無人運転」と記載する）が可能に構成されている。無人運転とは、車両の加速、減速、停止および操舵等の運転操作が車両のドライバの運転操作によらずに実行される制御を意味する。無人運転には、たとえば車線維持制御および航行制御が含まれる。車線維持制御では、車両が走行車線から逸脱せず走行車線に沿って走行するようにハンドル（図示せず）が自動で操舵される。航行制御では、たとえば、車両の前方に先行車が存在しない場合に、予め設定された速度で車両を定速走行させる定速制御が実行される一方で、車両の前方に先行車が存在する場合には、先行車との車間距離に応じて車両の車速を調整する追従制御が実行される。
【００２７】
車両１は、たとえば電気自動車（ＥＶ：Electric  Vehicle）である。ただし、車両１の走行用の動力源は特に限定されない。車両１は、ガソリン車またはディーゼル車など走行に燃料を必要とする車両（いわゆるコンベ車）であってもよいし、ハイブリッド車（プラグインハイブリッド車を含む）であってもよいし、燃料電池車であってもよい。なお、図１では、図面が煩雑になるのを防ぐため３台の車両１を示すが、車両１の台数は特に限定されない。多くの場合、配車システム９００には、より多くの車両が含まれる。
【００２８】
車両１、携帯端末８および配車センター９間の通信を実現するため、基地局装置５と無線ＬＡＮ（Local  Area  Network）スポット６とが通信ネットワーク７上に設けられている。
【００２９】
基地局装置５は、たとえばＬＴＥ（Long  Term  Evolution）に準拠した基地局装置である。しかし、基地局装置５の通信方式は、これに限定されず、たとえばＷ−ＣＤＭＡ（Wideband  Code  Division  Multiple  Access）であってもよいし、他の通信方式であってもよい。あるいは、基地局装置５は、複数の通信方式を切り替え可能に構成されていてもよい。複数の車両１の各々と配車センター９とは、基地局装置５および通信ネットワーク７を介して双方向での無線通信が可能に構成されており、各種情報の授受が行なわれる。
【００３０】
無線ＬＡＮスポット６は、ＬＡＮスポット構築用のルータ（アクセスポイントとルータとが一体化された機器）を含んで構成されている。携帯端末８は、無線ＬＡＮスポット６と接続されることにより、インターネットを介したデータ通信を高速で行なうことが可能になる。無線ＬＡＮスポット６による通信サービスは、たとえば通信事業者、公共施設、飲食店または店舗などより、有償または無償で提供される。
【００３１】
本実施の形態では、複数の車両１の各々に無線ＬＡＮモジュール４２が搭載されている。無線ＬＡＮモジュール４２は、携帯端末８との間で双方向通信が可能に構成されているとともに、無線ＬＡＮスポット６との間で双方向通信が可能に構成されている。これにより、無線ＬＡＮモジュール４２は、携帯端末８と無線ＬＡＮスポット６との間の通信を中継することが可能である。無線ＬＡＮモジュール４２の詳細については後述する。
【００３２】
配車センター９は、各車両１の走行状況を管理しており、必要な情報を車両１に提供したり様々な指令を車両１に送信したりする。配車センター９は、サーバ９０と、地図情報データベース９１と、車両情報データベース９２と、イベント情報データベース９３と、無線情報データベース９４と、通信装置９５とを含む。
【００３３】
地図情報データベース９１は、道路地図データを格納する。車両情報データベース９２は、各車両１の使用状況を示す情報および位置情報など（包括的に「車両情報」とも称する）を格納する（図６参照）。イベント情報データベース９３は、コンサート、スポーツなどの様々なイベント（催し）の開催場所、開催日時などの情報を格納する（図９参照）。無線情報データベース９４は、無線通信網の整備状況を示す無線情報を格納する（図１０参照）。
【００３４】
サーバ９０は、ユーザからの要求に応じて、複数の車両１のなかから適切な車両をユーザの下に配車するための各種処理を行なう処理装置である。各データベースに格納された情報（データ）およびサーバ９０による処理の詳細については後述する。
【００３５】
＜車両構成＞
図２は、車両１の構成を概略的に示す図である。図２を参照して、車両１は、蓄電装置２１と、パワーコントロールユニット（ＰＣＵ：Power  Control  Unit）２２と、モータジェネレータ（ＭＧ：Motor  Generator）２３と、動力伝達ギア２４と、駆動輪２５と、ＥＣＵ（Electronic  Control  Unit）１００とを備える。
【００３６】
蓄電装置２１は、再充電可能な直流電源であり、たとえばリチウムイオン二次電池またはニッケル水素電池などの二次電池を含んで構成される。蓄電装置２１として電気二重層キャパシタ等のキャパシタも採用可能である。蓄電装置２１は、車両１の走行駆動力を生成するための電力をＰＣＵ２２へ供給する。また、蓄電装置２１は、モータジェネレータ２３の回生制動により発電された電力により充電されたり、車両外部から供給される電力により充電されたりする。
【００３７】
ＰＣＵ２２は、ＥＣＵ１００からの指令に従って、蓄電装置２１とモータジェネレータ２３との間で電力変換を行なう。ＰＣＵ２２は、蓄電装置２１から電力を受けてモータジェネレータ２３を駆動するインバータと、インバータに供給される直流電圧のレベルを調整するコンバータ（いずれも図示せず）等とを含んで構成される。
【００３８】
モータジェネレータ２３は、交流電動機であり、たとえば、永久磁石が埋設されたロータを備える永久磁石型同期電動機である。モータジェネレータ２３は、ＰＣＵ２２に含まれるインバータによって駆動され、駆動軸（図示せず）を回転させる。モータジェネレータ２３が出力するトルクが動力伝達ギア２４を介して駆動輪２５に伝達され、それにより車両１が走行する。また、モータジェネレータ２３は、車両の制動時には駆動輪の回転力を受けて発電する。モータジェネレータ２３によって発電された電力は、ＰＣＵ２２を通じて蓄電装置２１に蓄えられる。
【００３９】
なお、車両１は、車両外部から供給される電力による蓄電装置２１の充電（いわゆる外部充電）を行なうための構成として、電力変換装置およびインレットをさらに備えるが、ここでは図示を省略している。
【００４０】
車両１は、車両１の外部状況または車両１の走行状態を取得するための構成として、ナビゲーション装置３１と、センサ群３２とをさらに備える。
【００４１】
ナビゲーション装置３１は、人工衛星からの電波に基づいて車両１の現在地を特定するＧＰＳ（Global  Pointing  System）受信機３１１を含む。ナビゲーション装置３１は、ＧＰＳ受信機３１１により特定された車両１の現在地の位置情報（ＧＰＳ情報）を用いて車両１の各種ナビゲーション処理を実行する。より具体的には、ナビゲーション装置３１は、車両１のＧＰＳ情報とメモリ（図示せず）に格納された道路地図データとに基づいて、車両１の現在地から目的地までの走行ルート（走行予定ルートまたは目標ルート）を算出し、その走行ルートの情報をＥＣＵ１００に出力する。
【００４２】
センサ群３２は、車両１の外部状況を検出したり、車両１の走行状態に応じた情報および車両１の操作（操舵操作、アクセル操作およびブレーキ操作）を検出したりする。ＥＣＵ１００は、センサ群３２により検出（または取得）された各種情報に基づいて無人運転（完全自動運転あるいは自動回送）が可能に構成されている。つまり、センサ群３２による自動運転においては、すべての状況下においてドライバの乗車もドライバの操作も必要としない。より詳細には、センサ群３２は、カメラ３２１と、レーダー（Ｒａｄａｒ）３２２と、ライダー（ＬＩＤＡＲ：Laser  Imaging  Detection  and  Ranging）３２３と、車速センサ３２４と、加速度センサ３２５と、ジャイロセンサ３２６とを含む。
【００４３】
カメラ３２１は、車両１の外部状況を撮像し、車両１の外部状況に関する撮像情報をＥＣＵ１００に出力する。
【００４４】
レーダー３２２は、電波（たとえばミリ波）を車両１の周囲に送信し、障害物で反射された電波を受信して障害物を検出する。レーダーは、たとえば、障害物までの距離および障害物の方向を障害物に関する障害物情報としてＥＣＵ１００に出力する。
【００４５】
ライダー３２３は、光（典型的には紫外線、可視光線または近赤外線）を車両１の周囲に送信し、障害物で反射された光を受信することで反射点までの距離を計測し、障害物を検出する。ライダー３２３は、たとえば、障害物までの距離および障害物の方向を障害物情報としてＥＣＵ１００に出力する。
【００４６】
車速センサ３２４は、車両１の車輪または駆動軸などに設けられる。車速センサ３２４は、車輪の回転速度を検出して車両１の速度を含む車速情報をＥＣＵ１００に出力する。
【００４７】
加速度センサ３２５は、たとえば、車両１の前後方向の加速度を検出する前後加速度センサと、車両１の横加速度を検出する横加速度センサとを含む。加速度センサ３２５は、両方の加速度を含む加速度情報をＥＣＵ１００に出力する。
【００４８】
ジャイロセンサ３２６は、車両１の水平方向からの傾きを検出し、車両１の走行経路の勾配情報をＥＣＵ１００に出力する。
【００４９】
車両１は、車外と無線通信を行なうための無線通信装置４０をさらに備える。無線通信装置４０は、基地局通信モジュール４１と、無線ＬＡＮモジュール４２とを含む。
【００５０】
基地局通信モジュール４１は、たとえばＬＴＥに準拠した通信を基地局装置５との間で行なうための機器であり、ＬＴＥ用送受信回路４１１と、アンテナ４１２とを含む。
【００５１】
無線ＬＡＮモジュール４２は、無線ＬＡＮ通信を携帯端末８（または無線ＬＡＮスポット６）との間で行なうための機器であり、無線ＬＡＮ用送受信回路４２１と、アンテナ４２２とを含む。なお、無線ＬＡＮの種類（通信規格）に応じて、それぞれの通信規格に対応する複数の無線ＬＡＮモジュールが車両１に搭載されていてもよい。なお、無線ＬＡＮモジュール４２は、本開示に係る「無線通信機器」に相当する。
【００５２】
ＥＣＵ１００は、ＣＰＵ（Central  Processing  Unit）１０１と、メモリ１０２と、各種信号を入出力するための入出力ポート（図示せず）と等を含んで構成されている。ＥＣＵ１００は、センサ群３２からの入力に基づき、車両１の無人運転を実現するための各種制御（車線維持制御、航行制御など）を実行する。また、ＥＣＵ１００は、基地局通信モジュール４１を介して様々な情報（車両１の位置情報など）をサーバ９０に送信したり、サーバ９０から指令または通知を受信したりする。
【００５３】
＜無線通信網の増強＞
図３は、無線通信網の電波状況（無線状況）の一例を説明するための概念図である。公衆無線ＬＡＮサービスでは、携帯端末８と無線ＬＡＮスポット６との間で双方向通信が行なわれる。無線ＬＡＮスポット６からの電波が届き、双方向通信が可能な範囲は、一般に、「セル」または「カバレッジエリア」と称される。
【００５４】
図３には、一例として、３つの無線ＬＡＮスポット６のセルＡ同士の関係が示されている。この例では、３つの無線ＬＡＮスポット６のセルＡの狭間に電波が届かないエリア（電波圏外のエリア）が存在する。図３に示す携帯端末８は、この電波圏外のエリア内に位置している。そのため、携帯端末８に対しては公衆無線ＬＡＮサービスを提供することができない。
【００５５】
このような場合に、本実施の形態においては、ユーザの携帯端末８から無線通信網の増強を求めることが可能とする構成を採用する。サーバ９０は、ユーザの求め（携帯端末８からの配車要求）に応じて、無線ＬＡＮモジュール４２が搭載された車両１を配車する。以下、携帯端末８からの上述の求めのことを「増強要求」とも記載する。増強要求は、本開示に係る「配車要求」に相当する。
【００５６】
図４は、無線通信網の増強の様子を説明するための概念図である。図４に示すように、サーバ９０は、携帯端末８から増強要求を受けると、車両１に搭載された無線ＬＡＮモジュール４２のセルＢ内に携帯端末８が入るような位置へと車両１を配車する。配車された車両１は、サーバ９０により指定された位置に到着すると、次の指示を受けるまで、その位置で待機する。車両１に搭載された無線ＬＡＮモジュール４２により公衆無線ＬＡＮサービスの無線通信網が増強されることで、たとえば携帯端末８と近隣の無線ＬＡＮ間の６との間の通信を中継することが可能になる。つまり、携帯端末８に対しても公衆無線ＬＡＮサービスを提供することができる。
【００５７】
ここで配車対象とする車両１としては、ユーザが乗車していない車両（ユーザの送迎中でない空き車両）のなかから選択することが望ましい。そのような車両の具体例としては、街中を自動回送中の車両（迎車の予約等が入っていない車両）、サーバ９０から次の指令を受けるまで駐車場等で待機中の車両などが挙げられる。このように、ユーザの乗車には利用されていない車両を公衆無線ＬＡＮサービス提供のために活用することで、車両の購入および管理に要する追加コストを抑制しつつ、ユーザの無線通信の利便性を向上させることができる。
【００５８】
＜無線通信網の増強フロー＞
図５は、実施の形態１における無線通信網の増強処理を説明するためのフローチャートである。図５ならびに後述する図８および図１１に示すフローチャートは、たとえば所定の演算周期が経過する度にサーバ９０によりメインルーチンから呼び出されて実行される。これらのフローチャート内の各ステップ（以下、Ｓと略す）は、基本的にはサーバ９０によるソフトウェア処理によって実現されるが、サーバ９０内に作製された電子回路によるハードウェア処理によって実現されてもよい。
【００５９】
図５を参照して、Ｓ１１０において、サーバ９０は、携帯端末８からの無線通信網の増強要求を受けたか否かを判定する。携帯端末８は、ユーザの操作を受け付けた場合に増強要求を送信することができる。携帯端末８は、ユーザが希望する無線ＬＡＮ通信規格（または携帯端末８が対応している通信規格）に関する情報を増強要求とともに送信してもよい。
【００６０】
あるいは、携帯端末８は、それまではいずれかのセルＡ内であったものの、ユーザの移動に伴い携帯端末８がセルＡの圏外となったことを検出して（つまり、ユーザ操作を伴わず自発的に）増強要求を送信してもよい。
【００６１】
一方、サーバ９０は、たとえば無線通信網の増強サービスが有料サービスとして提供される場合には、１台の携帯端末８からの増強要求を受けたときに「無線通信網の増強要求あり」と判定してもよい。
【００６２】
あるいは、たとえば無線通信網の増強サービスが無料で提供される場合には、増強サービスが有料で提供される場合と比べて、増強要求数が増加することが考えられる。そのため、サーバ９０は、所定期間内に所定領域内の一定台数（複数台）の携帯端末８からの増強要求を受けたときに（すなわち、増強要求がある程度、集中したときに）「無線通信網の増強要求あり」と判定してもよい。なお、無線通信網の増強要求なしと判定された場合（Ｓ１１０においてＮＯ）には、処理はメインルーチンへと返される。
【００６３】
無線通信網の増強要求ありと判定した場合（Ｓ１１０においてＹＥＳ）、サーバ９０は、車両１の配車先（車両１を配車する位置）を決定する（Ｓ１２０）。より詳細には、サーバ９０は、増強要求を送信した携帯端末８の位置情報（ＧＰＳ情報）を取得し、その位置を配車先として決定することができる。あるいは、サーバ９０は、増強要求を送信した携帯端末８が複数台存在する場合には、それらの携帯端末８の位置情報から中間位置を求め、その中間位置を車両１の配車先として決定することができる。
【００６４】
Ｓ１３０において、サーバ９０は、Ｓ１２０にて決定された配車先に配車可能な車両１が存在するか否かを判定する。この判定には、車両情報データベース９２（図１参照）に格納された車両情報が用いられる。
【００６５】
図６は、車両情報の一例を示す図である。図６に示すように、車両情報は、様々な車両についての、たとえば、車種、使用状況、現在地、無線ＬＡＮモジュール４２の搭載の有無、蓄電装置２１のＳＯＣ（State  Of  Charge）に関する情報などを含む。車両の使用状況に関する情報とは、たとえば、その車両がユーザを乗せて目的地に走行中（乗車中）、車両がユーザの下へと走行中（迎車中）、車両が回送中（待機中を含む）、または、車両が外部充電中であることなどを示す情報を含む。なお、無線ＬＡＮモジュール４２の搭載の有無に関する情報は、無線ＬＡＮの通信規格毎に規定されていてもよい。
【００６６】
図６に示す例では、無線ＬＡＮモジュール４２が搭載された３台の車両（車両ＩＤが１００１，１００２，１００３の車両）のうち、現時点で回送中の車両（車両ＩＤが１００２の車両）を配車することが望ましい。配車可能な車両１が複数台存在する場合には、たとえば、配車先までの所要時間が短い車両を選択することができる。
【００６７】
図５に戻り、配車可能な車両１が存在する場合（Ｓ１３０においてＹＥＳ）、サーバ９０は、増強要求を送信した携帯端末８に対して、車両１の配車が可能である旨を回答する（Ｓ１４０）。このような回答に加えて、サーバ９０は、Ｓ１２０にて決定された配車先への車両１の到着予想時刻を通知してもよい。そして、サーバ９０は、Ｓ１２０にて決定された配車先に車両１を配車する（Ｓ１５０）。
【００６８】
なお、配車可能な車両１が存在しない場合（Ｓ１３０においてＮＯ）には、サーバ９０は、携帯端末８に対して、現在、配車先に配車可能な車両１が存在しないため、配車できない旨を回答する（Ｓ１６０）。
【００６９】
以上のように、実施の形態１によれば、ユーザの携帯端末８から無線通信網の増強要求を受けた場合に、サーバ９０は、無線ＬＡＮスポット６の電波が届かない場所（あるいは電波が弱い場所）に車両１を配車する。車両１に搭載された無線ＬＡＮモジュール４２により無線通信網が増強されることで、携帯端末８の高速インターネットアクセスが可能になり、ユーザの無線通信の利便性を向上させることができる。また、ユーザの送迎に利用されていない車両を配車車両として活用することで、専用の車両を準備しなくてよくなるので、追加コストの発生を抑制することができる。
【００７０】
［実施の形態２］
実施の形態１では、ユーザの携帯端末８からの無線通信網の増強要求に応答して、サーバ９０が車両１を配車する構成について説明した。しかし、サーバ９０は、増強要求の受信を待つのではなく、増強要求の発生が予想される場合に車両１を前もって配車しておくこともできる。実施の形態２においては、無線通信網が不十分となりやすい状況の発生をインターネット上の情報から予測する構成について説明する。
【００７１】
より具体的には、実施の形態２におけるサーバ９０は、インターネット上の情報からイベントに関する情報を抽出する。イベントの種類は特に問わないが、イベントの具体例としては、音楽（ライブ、コンサート）、演劇、スポーツ観戦（プロ野球、プロサッカー）、見本市、展示会などが挙げられる。なお、実施の形態２に係る配車システムの構成は、実施の形態１に係る配車システム９００の構成（図１および図２参照）と同等であるため、説明は繰り返さない。
【００７２】
図７は、イベント開催時における車両１を用いた無線通信網の増強を説明するための図である。イベントには多くの参加者が集まり、無線ＬＡＮスポット６の需要が大きくなると考えられる。また、無線ＬＡＮスポット６には通信可能な容量が存在する。そのため、この容量を上回る通信量を必要とする数の携帯端末８がセルＡ内に存在すると、たとえ一定数の無線ＬＡＮスポット６が設けられていたとしても、携帯端末８の通信（インターネットアクセス）が不可能になったり通信速度が低下したりすることも考えられる。
【００７３】
このような事情に鑑み、図７に示すように、イベント会場と最寄駅とを結ぶ移動ルート上に電波状況が悪い領域（電波強度が低い領域）が存在する場合、イベント会場に向かう参加者数またはイベント会場から帰る参加者数がピークを迎えるのに先立ち、サーバ９０からの配車指示に従って、電波強度が低い領域に車両１が配車される。これにより、車両１に搭載された無線ＬＡＮモジュール４２のセルＢによって無線通信網が増強される。その結果、イベント参加者の携帯端末８の高速インターネットアクセスが可能になり、無線通信の利便性を向上させることができる。
【００７４】
図８は、実施の形態２における無線通信網の増強処理を説明するためのフローチャートである。図８を参照して、Ｓ２１０において、ウェブスクレイピングの技術を利用してインターネット上からイベント情報を抽出する。より詳細には、サーバ９０は、インターネット上のウェブサイト（イベント開催業者のウェブサイトなど）を定期的に収集し、そのウェブサイトの表示言語（ＨＴＭＬ（HyperText  Markup  Language）など）を解析することで、イベントに関連する情報を抽出する。なお、ウェブスクレイピングは、ウェブクローラー、ウェブスパイダーと呼ばれる場合もある。ウェブスクレイピングにより抽出されたイベント情報は、イベント情報データベース９３に格納される。
【００７５】
図９は、イベント情報の一例を示す図である。図９に示すように、イベント情報は、イベントを互いに区別するための識別情報（ＩＤ）と、イベント名、イベントの開催場所、その開催場所の最寄駅、イベントの開催時間（開始時刻および終了時刻）およびイベントの参加予想人数に関する情報とを含む。
【００７６】
開催場所の最寄駅とは、イベントの参加者が利用する近隣の公共交通機関の一例に過ぎず、必ずしも電車の駅には限られない。イベント情報は、最寄駅の情報に代えてあるいは代えて、近隣の駐車場、バスの停留所、空港等に関する情報を含んでもよい。また、最寄駅の情報の数は１つに限らず、複数であってもよいし、他の公共交通機関の情報と組み合わせられてもよい。
【００７７】
また、イベントの参加予想人数として直接的な数値（イベント主催者が予想する人数）をインターネット上の情報から抽出できなかった場合には、たとえばイベントの開催場所（たとえばライブ会場、コンサートホール、球技場など）の収容人数に基づいて判断することができる。あるいは、同じイベントの過去の実績人数を用いてもよい。
【００７８】
なお、イベント情報をウェブスクレイピングの技術だけで作成することは必須ではない。イベント情報としては、ウェブスクレイピングにより抽出された情報と、配車センター９の運営業者が入手した情報とを適宜組み合わせることができる。
【００７９】
図８に戻り、Ｓ２２０において、サーバ９０は、イベント情報として大規模イベントの情報が抽出されたか否かを判定する。イベント情報に規定された参加予想人数が所定数よりも大きい場合に、サーバ９０は、大規模イベントが抽出されたと判定する。
【００８０】
大規模イベントが抽出された場合（Ｓ２２０においてＹＥＳ）、サーバ９０は、イベント情報に含まれる開催場所および最寄駅の情報に基づき、イベント参加者の移動ルートを算出する（Ｓ２３０）。この移動ルートの算出には、ナビゲーション装置などで用いられる一般的な経路探索技術を用いることができる。あるいは、イベントの開催場所毎にイベント参加者の代表的な移動ルートを予め調査し、その調査結果を上述のイベント情報とともにイベント情報データベース９３に格納しておいてもよい。
【００８１】
Ｓ２４０において、サーバ９０は、イベント会場と最寄駅とを結ぶ移動ルート上に電波強度が低い領域が存在するか否かを判定する。電波強度が低い領域が存在するか否かに関する情報は、たとえば、移動ルートを車両１に事前に走行させ、電波状況を調査させる（十分高速に通信可能か否かを調査させる）ことによって取得することができる。このような調査結果は、無線情報データベース９４に無線情報として格納されている。
【００８２】
図１０は、無線情報の一例を示す図である。図１０に示すように、無線情報には、たとえば、道路の識別情報と、地名（道路名であってもよいし、ブロック名であってもよい）と、位置情報（経度情報および緯度情報）と、調査時間（調査日、その曜日、調査時刻など）と、電波強度に関する情報とが規定されている。電波強度とは、たとえば、電波検出なしの状況を「０」で示し、電波が最も強い状況を「４」で示す５段階の指数により表される。あるいは、その領域における通信速度（最高通信速度）により電波強度を表してもよい。
【００８３】
図８を再び参照して、移動ルート上に電波状況が悪い領域が存在しない場合、たとえば、移動ルート上のすべての領域において電波強度を示す指数が所定値以上の場合（Ｓ２４０においてＮＯ）には、サーバ９０は、処理をメインルーチンへと戻す。これに対し、移動ルート上に電波状況が悪い領域が存在する場合、すなわち、電波強度を示す指数が所定値未満の領域が存在する場合（Ｓ２４０においてＹＥＳ）、サーバ９０は、現在がイベントの開催時間になるまで待機する（Ｓ２５０）。たとえば、現時刻がイベントの開始時刻よりも所定時間だけ前である場合、あるいは、現時刻がイベントの終了時刻よりも所定時間だけ前の場合に、Ｓ２５０にてＹＥＳと判定される。上記所定時間は、イベント参加者の移動時間および車両１の配車に要する時間を考慮して定められる。
【００８４】
イベントの開催時間が到来すると（Ｓ２５０においてＹＥＳ）、サーバ９０は、図７にて説明したように、Ｓ２４０にて特定された電波状況が悪い領域に車両１を配車する（Ｓ２６０）。なお、配車台数は１台に限定されず、配車可能な車両１の台数を上限として、電波状況が悪い領域をできるだけ広くカバーできるように多くの車両１を配車することができる。
【００８５】
以上のように、実施の形態２によれば、実施の形態１と同様に、ユーザの送迎に利用されていない車両を活用してユーザの無線通信の利便性を向上させることができる。特に、実施の形態２では、ユーザからの要求がなくても大規模なイベントの開催に合わせて車両１が配車される。これにより、配車先の地域に公衆無線ＬＡＮサービスを適時に提供して、高速データ通信が行なえない地域をなくしたり通信の混雑を緩和したりすることができる。
【００８６】
なお、実施の形態２では、多数の参加者が集まるイベントを例に説明したが、移動人数の情報と移動時間との組合せに基づいて車両１を配車してもよい。たとえば、オフィス街への通勤時間（あるいは帰宅時間）に通勤経路（帰宅経路）に車両１を配車することができる。また、レジャー施設および観光地などでは、大型連休などの休日（混雑が予想される時刻）に合わせて車両１を配車することができる。
【００８７】
［実施の形態２の変形例］
実施の形態２では、事前に収集されたイベント情報に基づいて車両１が配車される例について説明した。実施の形態２の変形例では、リアルタイムで収集される情報に基づいて車両１が配車される構成について説明する。
【００８８】
図１１は、実施の形態２の変形例における無線通信網の増強処理を説明するためのフローチャートである。図１１を参照して、Ｓ３１０において、サーバ９０は、ユーザの分布状況を取得する。より具体的には、サーバ９０は、たとえば、街頭に設置された防犯カメラにより撮影された情報に基づいて、どの地域にどの程度の人口が分布しているかを取得することができる。
【００８９】
サーバ９０は、ユーザの分布状況に代えて、携帯端末８の分布状況を取得してもよい。たとえば、サーバ９０は、携帯端末８の事業者（携帯電話会社）から、携帯端末８と基地局装置５との通信状況（通信の混雑状況）を示す情報の提供を受けることで、携帯端末８の密度が高い領域および携帯端末８の密度が低い領域に関する情報を取得することができる。
【００９０】
Ｓ３２０において、サーバ９０は、Ｓ３１０にて取得された情報に基づいて、人口密度が高い領域（あるいは携帯端末８の密度が高い領域）が存在するか否かを判定する。人口密度が高い領域が所定密度を上回る領域が存在しない場合（Ｓ３２０においてＮＯ）には、処理がメインルーチンに返される。
【００９１】
一方、人口密度が高い領域が所定密度を上回る領域が存在する場合（Ｓ３２０においてＹＥＳ）、サーバ９０は、その領域の電波状況が悪いか否かを判定する。電波状況の良否は、実施の形態２にて説明したように、無線情報データベース９４に格納された無線情報に基づいて判定することができる。
【００９２】
人口密度が所定密度を上回る領域の電波状況を示す指数が所定値未満の場合（Ｓ３３０においてＹＥＳ）、サーバ９０は、その領域の電波状況が悪いとして、その領域に車両１を配車する（Ｓ３４０）。なお、人口密度が所定密度を上回る領域の電波状況を示す指数が所定値以上の場合（Ｓ３３０）には、サーバ９０は、電波状況の改善の必要は特にないと判断し、Ｓ３４０の処理をスキップして処理をメインルーチンへと戻す。
【００９３】
以上のように、実施の形態２の変形例によれば、実施の形態１，２と同様に、ユーザの送迎に利用されていない車両を活用してユーザの無線通信の利便性を向上させることができる。さらに、実施の形態２の変形例では、Ｓ３１０，Ｓ３２０の処理にて、人口密度が所定密度を上回る領域（あるいは携帯端末８の密度が所定密度を上回る領域）が存在するか否かがリアルタイムで判定され、そのような領域が存在する場合には車両１が配車される。これにより、イベント等の予定がない突発的な人口集中（携帯端末８の急増）に対応可能となり、そのような突発的な人口集中が生じた場合であっても高速データ通信が行なえない地域をなくしたり通信の混雑を緩和したりすることができる。
【００９４】
今回開示された実施の形態は、すべての点で例示であって制限的なものではないと考えられるべきである。本開示の範囲は、上記した実施の形態の説明ではなくて特許請求の範囲によって示され、特許請求の範囲と均等の意味および範囲内でのすべての変更が含まれることが意図される。
【符号の説明】
【００９５】
１  車両、２１  蓄電装置、２２  ＰＣＵ、２３  モータジェネレータ、２４  動力伝達ギア、２５  駆動輪、３１  ナビゲーション装置、３１１  ＧＰＳ受信機、３２  センサ群、３２１  カメラ、３２２  レーダー、３２３  ライダー、３２４  車速センサ、３２５  加速度センサ、３２６  ジャイロセンサ、４０  無線通信装置、４１  基地局通信モジュール、４１１  ＬＴＥ用送受信回路、４１２  アンテナ、４２  無線ＬＡＮモジュール、４２１  無線ＬＡＮ用送受信回路、４２２  アンテナ、５  基地局装置、６  スポット、７  通信ネットワーク、８  携帯端末、９  配車センター、９０  サーバ、９１  地図情報データベース、９２  車両情報データベース、９３  イベント情報データベース、９４  無線情報データベース、９５  通信装置、１００  ＥＣＵ、１０１  ＣＰＵ、１０２  メモリ、９００  配車システム。
【図１】
2019086900.tif 000003
【図２】
2019086900.tif 000004
【図３】
2019086900.tif 000005
【図４】
2019086900.tif 000006
【図５】
2019086900.tif 000007
【図６】
2019086900.tif 000008
【図７】
2019086900.tif 000009
【図８】
2019086900.tif 000010
【図９】
2019086900.tif 000011
【図１０】
2019086900.tif 000012
【図１１】
2019086900.tif 000013